(57)【要約】【課題】本発明は、携帯端末機において、ホールド機能の実行中にユーザーの所望するメニュー又はアプリケーションをすぐに、即ち、ホールド機能の実行を終了する操作を前もってすることなく、実行する装置及び方法を提供する。【解決手段】本発明による装置は、ディスプレイ部と、少なくとも一つのドラッグパターン、ホールド画面ショートカットリスト、及びボリューム調節メニューを格納するメモリ部と、ホールド機能モードでホールド画面をディスプレイし、ディスプレイ部に入力されたドラッグパターンを認識し、認識されたドラッグパターンを格納された少なくとも一つのドラッグパターンと比較し、認識されたドラッグパターンが格納された少なくとも一つのドラッグパターンの中で第１のドラッグパターンと同一である場合、ホールド機能モードでショートカット機能を実行する制御部とを含む。【選択図】  図３
2013020625.tif 000002
【特許請求の範囲】
【請求項１】
携帯端末機におけるショートカット機能を実行する装置であって、
ディスプレイ部と、
少なくとも一つのドラッグパターン、ホールド画面ショートカットリスト、及びボリューム調節メニューを格納するメモリ部と、
ホールド機能モードでホールド画面をディスプレイし、認識されたドラッグパターンを前記格納された少なくとも一つのドラッグパターンと比較し、前記認識されたドラッグパターンが前記格納された少なくとも一つのドラッグパターンの中で第１のドラッグパターンと同一である場合、前記ホールド機能モードでホールド画面ショートカット機能を実行する制御部と、
を含むことを特徴とする装置。
【請求項２】
前記制御部は、前記ホールド画面ショートカット機能が実行される場合、前記ホールド画面ショートカットリストをディスプレイし、前記ディスプレイされたホールド画面ショートカットリストに含まれたメニュー及びアプリケーションのうちいずれか一つが選択されると、前記選択されたメニュー又はアプリケーションをすぐに実行することを特徴とする請求項１に記載の装置。
【請求項３】
前記ホールド機能を解除するためのホールド機能解除アイコンが前記ホールド画面の左側下端に位置する場合、前記第１のドラッグパターンは、前記ホールド解除アイコンをタッチして右方に前記ホールド画面の中央までドラッグした後に上方にドラッグを延長するパターンであることを特徴とする請求項１に記載の装置。
【請求項４】
前記ホールド画面ショートカットリストは、ホールド画面ショートカット機能から迅速にアクセスできる少なくとも一つのメニュー又はアプリケーションを含むことを特徴とする請求項２に記載の装置。
【請求項５】
前記制御部は、前記認識されたドラッグパターンが前記第１のドラッグパターンと同一でない場合、前記認識されたドラッグパターンを前記格納された少なくとも一つのドラッグパターンの中で第２のドラッグパターンと比較し、その結果、前記認識されたドラッグパターンが前記第２のドラッグパターンと同一である場合、ボリューム調節機能を実行することを特徴とする請求項１に記載の装置。
【請求項６】
前記制御部は、前記ボリューム調節機能が実行される場合、前記ボリューム調節メニューをディスプレイし、前記ディスプレイされたボリューム調節メニューに含まれた少なくとも一つのボリュームレベルの中から選択されたボリュームレベルに音声ボリュームを調整することを特徴とする請求項５に記載の装置。
【請求項７】
サウンドオン／オフアイコンが前記ホールド画面の右側下端に位置する場合、前記第２のドラッグパターンは、前記サウンドオン／オフアイコンをタッチし、左方に前記ホールド画面の中央までドラッグした後に上方にドラッグを延長するパターンであることを特徴とする請求項５に記載の装置。
【請求項８】
前記制御部は、前記認識されたドラッグパターンが前記第２のドラッグパターンと異なる場合、前記ホールド機能を再実行することを特徴とする請求項５に記載の装置。
【請求項９】
携帯端末機におけるショートカット機能を実行する方法であって、
ホールド機能モードでホールド画面をディスプレイするステップと、
ディスプレイ部に入力されたドラッグパターンを認識するステップと、
前記認識されたドラッグパターンを格納された少なくとも一つのドラッグパターンと比較するステップと、
前記認識されたドラッグパターンが前記格納された少なくとも一つのドラッグパターンの中で第１のドラッグパターンと同一である場合、前記ホールド機能モードでショートカット機能を遂行するホールド画面ショートカット機能を実行するステップと、
を有することを特徴とする方法。
【請求項１０】
前記ホールド画面ショートカット機能を実行するステップは、
ホールド画面ショートカットリストをディスプレイするステップと、
前記ディスプレイされたホールド画面ショートカットリストに含まれたメニュー及びアプリケーションのうちいずれか一つが選択されると、前記選択されたメニュー又はアプリケーションをすぐに実行するステップと、
を有することを特徴とする請求項９に記載の方法。
【請求項１１】
前記ホールド機能を解除するためのホールド解除アイコンが前記ホールド画面の左側下端に位置する場合、前記第１のドラッグパターンは、前記ホールド解除アイコンをタッチして右方に前記ホールド画面の中央までドラッグし、その後に上方にドラッグを延長するパターンであることを特徴とする請求項９に記載の方法。
【請求項１２】
前記ホールド画面ショートカットリストは、前記ホールド画面ショートカット機能により迅速にアクセス可能な少なくとも一つのメニュー又はアプリケーションを含むことを特徴とする請求項１０に記載の方法。
【請求項１３】
前記認識されたドラッグパターンが前記第１のドラッグパターンと異なる場合、前記認識されたパターンを前記格納された少なくとも一つのドラッグパターンの中で第２のドラッグパターンと比較するステップと、
前記認識されたドラッグパターンが前記第２のドラッグパターンと同一である場合、ボリューム調節機能を実行するステップと、
をさらに有することを特徴とする請求項９に記載の方法。
【請求項１４】
前記ボリューム調節機能を実行するステップは、
ボリューム調節メニューをディスプレイするステップと、
前記ディスプレイされたボリューム調節メニューに含まれた少なくとも一つのボリュームレベルの中から選択されたボリュームレベルに音声ボリュームを調整するステップと、
を有することを特徴とする請求項１３に記載の方法。
【請求項１５】
サウンドオン／オフアイコンが前記ホールド画面の右側下端に位置する場合、前記第２のドラッグパターンは、前記サウンドオン／オフアイコンをタッチして左方に前記ホールド画面の中央までドラッグした後に上方にドラッグを延長するパターンであることを特徴とする請求項１３に記載の方法。
【請求項１６】
前記認識されたドラッグパターンが前記第２のドラッグパターンと異なる場合、前記ホールド機能を再実行するステップをさらに有することを特徴とする請求項１３に記載の方法。
【発明の詳細な説明】
【技術分野】
【０００１】
本発明は携帯端末機に係り、特に、携帯端末機におけるショートカット機能を実行する装置及び方法に関する。
【背景技術】
【０００２】
携帯端末機に関連した技術が急速に発達するに従って、スマートフォンは、Ｅメール、インターネットブラウジング、Ｅブック、及び多様なアプリケージョンを含むＰＣ（Ｐｅｒｓｏｎａｌ  Ｃｏｍｐｕｔｅｒ）のような向上した多様な機能を提供するように発展している。
【０００３】
携帯端末機は殆どの場合、タッチスクリーンを通じてユーザーの入力を感知する。タッチスクリーンを通じる予想外の入力によってユーザーが所望しない動作が実行されることを防ぐために、携帯端末機は、意図しない入力を区別するためにホールド機能を提供する。
【０００４】
しかしながら、携帯端末機がホールド機能を実行している場合、携帯端末機は、まずホールド機能を終了した後にのみ、ユーザーの所望するメニュー又はアプリケーションを実行できる。これによって僅かながら遅延が発生するという問題があった。
【０００５】
従って、所望のメニュー又はアプリケーションを実行するためには、毎度ホールド機能を終了する操作を前もってしなければならないという煩わしさを解消する改善された方法が必要である。
【先行技術文献】
【特許文献】
【０００６】
【特許文献１】米国特許公開２０１０／０２６９０４０
【特許文献２】米国特許公開２０１０／０００１９６７
【発明の概要】
【発明が解決しようとする課題】
【０００７】
従って、本発明は上記した従来技術の問題点に鑑みてなされたものであって、その目的は、ホールド機能の実行中にユーザーの所望するメニュー又はアプリケーションをすぐに、即ち、ホールド機能の実行を終了する操作を前もってすることなく、実行する装置及び方法を提供することにある。
【０００８】
また、本発明の目的は、ホールド機能の実行中にショートカット機能を遂行することによって、ユーザーの所望するメニュー又はアプリケーションをすぐに実行する装置及び方法を提供することにある。
【課題を解決するための手段】
【０００９】
上記のような目的を達成するために、本発明の一態様によれば、携帯端末機におけるショートカット機能を実行する装置が提供される。その装置は、ディスプレイ部と、少なくとも一つのドラッグパターン、ホールド画面ショートカットリスト、及びボリューム調節メニューを格納するメモリ部と、ホールド機能モードでホールド画面をディスプレイし、認識されたドラッグパターンを格納された少なくとも一つのドラッグパターンと比較し、認識されたドラッグパターンが格納された少なくとも一つのドラッグパターンの中で第１のドラッグパターンと同一である場合、ホールド機能モードでホールド画面ショートカット機能を実行する制御部とを含む。
【００１０】
本発明の他の態様によれば、携帯端末機におけるショートカット機能を実行する方法が提供される。その方法は、ホールド機能モードでホールド画面をディスプレイするステップと、ディスプレイ部に入力されたドラッグパターンを認識するステップと、認識されたドラッグパターンを格納された少なくとも一つのドラッグパターンと比較するステップと、認識されたドラッグパターンが格納された少なくとも一つのドラッグパターンの中で第１のドラッグパターンと同一である場合、ホールド機能モードでショートカット機能を遂行するホールド画面ショートカット機能を実行するステップとを有する。
【発明の効果】
【００１１】
本発明は、ホールド機能モードでユーザーの所望するメニュー又はアプリケーションをすぐに実行できる。
また、本発明は、携帯端末機がホールド機能の実行中にもショートカット機能を遂行することによって、従来技術における遅延なしにユーザーの所望するメニュー又はアプリケーションをすぐに実行できる。
本発明による実施形態の上記特徴及び利点は、添付の図面と共に述べる以下の詳細な説明から、一層明らかになるはずである。
【図面の簡単な説明】
【００１２】
【図１】本発明の実施形態による携帯端末機を示すブロック構成図である。
【図２】本発明の実施形態による携帯端末機がホールド画面ショートカット機能を設定する動作を示すフローチャートである。
【図３】本発明の実施形態による携帯端末機がホールド画面ショートカット機能を実行する動作を示すフローチャートである。
【図４】本発明の実施形態によりホールド画面ショートカット機能を遂行する画面を示す図である。
【図５】本発明の実施形態によりホールド画面ショーとカット機能を遂行する画面を示す図である。
【発明を実施するための形態】
【００１３】
以下、本発明の望ましい実施形態を添付の図面を参照して詳細に説明する。
以下の説明において、本発明に関連した公知の機能又は構成に関して具体的な説明を記載すると、却って本発明の要旨を不明にすると判断した場合には、そのような詳細な説明を省略する。
本発明の実施形態による携帯端末機は、携帯が容易に移動可能な電子機器であって、画像電話機、携帯電話、スマートフォン、ＩＭＴ２０００（Ｉｎｔｅｒｎａｔｉｏｎａｌ  Ｍｏｂｉｌｅ  Ｔｅｌｅｃｏｍｍｕｎｉｃａｔｉｏｎ  ２０００）端末機、ＷＣＤＭＡ端末機、ＵＭＴＳ（Ｕｎｉｖｅｒｓａｌ  Ｍｏｂｉｌｅ  Ｔｅｌｅｃｏｍｍｕｎｉｃａｔｉｏｎ  Ｓｅｒｖｉｃｅ）端末機、ＰＤＡ（Ｐｅｒｓｏｎａｌ  Ｄｉｇｉｔａｌ  Ａｓｓｉｓｔａｎｔ）、ＰＭＰ（Ｐｏｒｔａｂｌｅ  Ｍｕｌｔｉｍｅｄｉａ  Ｐｌａｙｅｒ）、ＤＭＢ（Ｄｉｇｉｔａｌ  Ｍｕｌｔｉｍｅｄｉａ  Ｂｒｏａｄｃａｓｔｉｎｇ）端末機、Ｅブック、携帯用コンピュータ、例えばノートブックコンピュータ、タブレット型コンピュータ又はデジタルカメラを含むグループ内のいずれかである。
【００１４】
図１は、本発明の実施形態による携帯端末機を示すブロック構成図である。
図１を参照すると、携帯端末機は、制御部１０１、表示部１０３、メモリ部１０５、オーディオ処理部１０７、無線送受信部１０９、データ処理部１１１、及びキー入力部１１３を含む。
【００１５】
各構成要素を説明すると、無線送受信部１０９は、携帯端末機の無線通信機能を遂行する。そのために、無線送受信部１０９は、送信信号の周波数をアップコンバート及び増幅する無線送信器と、受信される信号を低雑音増幅して周波数をダウンコンバートする無線受信器を含む。データ処理部１１１は、送信信号を符号化及び変調する送信器及び受信信号を復調及び復号化する受信器を含む。データ処理部１１１は、モデム（ＭＯＤＥＭ）及びコーデック（ＣＯＤＥＣ）で構成される。コーデックは、パケットデータを処理するデータコーデックと音声のオーディオ信号を処理するオーディオコーデックを含む。
【００１６】
オーディオ処理部１０７は、データ処理部１１１から出力される受信オーディオ信号を、スピーカを通じて再生し、あるいはマイクロフォンから生成される送信オーディオ信号をデータ処理部１１１に伝送する。キー入力部１１３は、数字及び文字を入力するための英字／数字（ａｌｐｈａｎｕｍｅｒｉｃａｌ）キー及び各種機能を設定するための機能キーを有する。ディスプレイ部１０３は、映像信号を画面にディスプレイし、制御部１０１からの要求に応じてデータをディスプレイする。
【００１７】
ディスプレイ部１０３が静電式又は減圧式のタッチスクリーンで構成される場合、キー入力部１１３は、所定（予め定めた）の最小限のキーを有し、キー入力部１１３のキー入力機能を果たす。従って、本発明は、キーパッドタイプの入力及び／又はタッチスクリーンタイプのディスプレイを有する携帯端末機に適用可能である。
【００１８】
メモリ部１０５は、プログラムメモリとデータメモリを含む。このプログラムメモリは、携帯端末機の一般的な動作を制御するためのブーティング（起動）及び運営システム（Ｏｐｅｒａｔｉｎｇ  Ｓｙｓｔｅｍ：以下、“ＯＳ”と称する）を格納し、データメモリは、携帯端末機の動作中に生成されるデータを格納する。
【００１９】
この実施形態において、メモリ部１０５は、予め設定された少なくとも一つのドラッグパターンを格納する。ここで、予め設定された少なくとも一つのドラッグパターンは、携帯端末機がホールド機能を遂行している最中にユーザーによってホールド画面ショートカット機能が要求されたか否かを判定する。このドラッグパターンは、ユーザーによって又は携帯端末機製造社によって予め定められる。
【００２０】
例えば、図４に示すように、ホールド機能解除アイコンがホールド画面の左側下端に位置する場合、予め設定された第１のドラッグパターンは、ホールド機能解除アイコンをタッチして右側方向にホールド画面の中央までドラッグし、その後にホールド画面の上方にドラッグされる。同様に、図５に示すように、サウンドオン／オフアイコンがホールド画面の右側下端に位置する場合、予め設定された第２のドラッグパターンは、サウンドオン／オフアイコンをタッチして左側方向にホールド画面の中央までドラッグした後、ホールド画面の上方にドラッグされる。図４に示す図面は一つの実施形態であって、本発明の範囲を限定するものではない。他の所定のパターンを用いると、第１のドラッグパターン又は第２のドラッグパターンと同様の動作、例えば、個別のアイコンを水平方向に交換する動作、を作動させるように実行できる。
【００２１】
本発明の実施形態によるホールド画面ショートカット機能では、ホールド画面が表示された後にユーザーから所定のドラッグパターンを受信すると、ショートカット機能により迅速にアクセスできるアプリケーション又はメニューがディスプレイされ、ディスプレイされたアプリケーション又はメニューの中からユーザーによって選択されたアプリケーション又はメニューが決定され、この選択されたアプリケーション又はメニューに対応する機能が実行される。このホールド画面ショートカット機能を実行するために、ショートカット機能により迅速にアクセスできる所望のアプリケーション又はメニューは、ユーザー又は携帯端末機製造社によって予め設定される。
【００２２】
ホールド画面は、ホールド機能モードでディスプレイされる画面である。ホールド機能は、間違えた外部入力による携帯端末機の誤動作を防止するために、ディスプレイ部１０３及びキー入力部１１３を通じて入力される外部入力をターンオフする機能である。
【００２３】
特に、図４及び図５に示すように、ホールド機能が実行された後に、ホールド画面は、ディスプレイ部にディスプレイされる。例えば、ホールド画面は、図４の画面４０１の左側下端に示すように、ホールド解除アイコンを含み、図５の画面５０１の右側下端に示すように、サウンドオン／オフアイコンを含む。
【００２４】
制御部１０１は、携帯端末機の全般的な制御を提供する。特に、制御部１０１は、ホールド画面ショートカット機能により迅速にアクセス可能なアプリケーション又はメニューを決定する。
【００２５】
より詳細に説明すると、制御部１０１は、ユーザーがホールド画面ショートカット機能の設定を実行する場合、ディスプレイ部１０３に携帯端末機でショートカット機能により迅速にアクセス可能なすべてのアプリケーションとメニューを表示する。その後、制御部１０１は、ディスプレイされたアプリケーションとメニューの中から、どのアプリケーション又はメニューがユーザーにより選択されるか、を監視し検知する。その後、制御部１０１は、選択されたアプリケーション又はメニューをホールド画面ショートカット機能が遂行可能なように決定し、この、選択された少なくとも一つのアプリケーション及びメニューを含むホールド画面ショートカットリストを生成する。
【００２６】
その後、制御部１０１は、ユーザーから予め設定された少なくとも一つのドラッグパターンを受信すると、ホールド画面ショートカット機能を遂行する。
【００２７】
特に、制御部１０１は、ホールド機能を遂行した後、ディスプレイ部１０３にホールド画面をディスプレイする。ここで、ホールド機能の実行を要求するユーザーの入力が受信され、あるいは所定時間、外部入力が受信されないと、制御部１０１は、ホールド機能を遂行する。例えば、図４及び図５を参照すると、例えば、ホールド画面は、図４の画面４０１の左側下端にホールド解除アイコンを有し、図５の画面５０１の右側下端にサウンドオン／オフアイコンを有する。
【００２８】
制御部１０１は、ディスプレイ部１０３を通じてドラッグパターンを受信し、受信されたドラッグパターンを認識し、認識したドラッグパターンとメモリ部１０５に格納された少なくとも一つのドラッグパターンとを比較する。
【００２９】
認識したドラッグパターンが予め設定された第１のドラッグパターンと同一である場合、制御部１０１は、ホールド画面ショートカットリストをディスプレイ部１０３にディスプレイする。従って、ホールド画面ショートカット機能により迅速にアクセスされるメニュー又はアプリケーションは、ホールド画面ショートカットリストに含まれる。例えば、ホールド画面ショートカットリストは、画面４０３にユーザーにより頻繁に使用される通話メニュー、ゲームアプリケーション、インターネットメニュー、及びＥメールメニューを含む。さらに、２種類以上のホールド画面ショートカットリスト設定を各々、異なるユーザーのために生成しておき、検出される入力パターンに基づいて他のユーザーのショートカットリストをディスプレイして、ユーザの選択に供し得る。
【００３０】
制御部１０１は、ユーザーによってディスプレイ部１０３でホールド画面ショートカットリストから選択されたメニュー又はアプリケーションを決定し、この決定したメニュー又はアプリケーションをすぐに（ホールド機能の実行を終了する操作を前もってすることなく）実行する。また、ディスプレイされるメニュー又はアプリケーションのうちいずれか一つをユーザーがタッチするか、あるいはディスプレイされたメニュー又はアプリケーションのうちいずれか一つに第１のドラッグパターンでドラッグを延長する場合、制御部１０１は、タッチあるいはドラッグされたメニュー又はアプリケーションを、ユーザーによって選択されたメニュー又はアプリケーションとして決定する。例えば、ユーザーが画面４０５のホールド画面ショートカットリストの中でＥメールメニューを選択する場合、制御部１０１は、Ｅメール機能に該当するアプリケーションを実行する。
【００３１】
しかしながら、ある予め指定された時間の間にディスプレイされたメニュー又はアプリケーションのうち一つも選択されない場合、制御部１０１は、ディスプレイされたメニュー又はアプリケーションを除去した後、ホールド機能を再実行する。
【００３２】
図５を参照すると、認識されたドラッグパターンが第１のドラッグパターンと異なる場合、制御部１０１は、認識されたドラッグパターンを第２のドラッグパターンと比較する。比較の結果、認識されたドラッグパターンが第２のドラッグパターンと同一である場合、制御部１０１は、ディスプレイ部１０３にボリューム制御（又は調節）メニューをディスプレイする。ボリューム調節メニューは例えば、ボリュームを段階的に調節するためのボリュームレベルを含み、図５の画面５０３のように７個のボリュームレベルを含む。
【００３３】
制御部１０１は、ユーザーによってディスプレイ部に選択されたボリュームレベルを決定し、選択されたボリュームレベルにボリュームを調整する。また、ユーザーがディスプレイされたボリュームレベルのうちいずれか一つをタッチし、あるいはディスプレイされたボリュームレベルのうち一つに、第２のドラッグパターンのドラッグを延長する場合、制御部１０１は、タッチ又はドラッグされたボリュームレベルをユーザーにより選択されたボリュームレベルとして決定する。例えば、図５の画面５０５で７個のボリュームレベルのうち４番目のレベルが選択される場合、制御部１０１は、音声ボリュームを選択された４番目のボリュームレベルに調整する。
【００３４】
しかしながら、所定時間でディスプレイされたボリュームレベルのうち一つも選択されない場合、制御部１０１は、ディスプレイされたボリュームメニューを除去した後に、ホールド機能を再実行する。
【００３５】
図２は、本発明の一実施形態による携帯端末機におけるホールド画面ショートカット機能を設定する動作を示すフローチャートである。
図２を参照すると、制御部１０１は、ステップ２０１で、ユーザーがホールド画面ショートカット設定を実行したか否かを判定する。ユーザーがホールド画面ショートカット設定を実行した場合、制御部１０１は、ステップ２０３に進行し、そうでない場合にはステップ２０１を反復する。
【００３６】
ホールド画面ショートカット機能は、ホールド画面がディスプレイされた後にユーザーから予め設定されたドラッグパターンを受信すると、ショートカット機能により迅速にアクセスできるアプリケーション又はメニューをディスプレイし、ディスプレイされたアプリケーション又はメニューの中から選択されたアプリケーション又はメニューを決定し、決定されたアプリケーション又はメニューに対応する機能を実行する。このホールド画面ショートカット設定は、ホールド画面ショートカット機能を遂行するためにショートカット機能により迅速にアクセスできるアプリケーション又はメニューを予め設定することを意味する。
【００３７】
ステップ２０３で、制御部１０１は、ディスプレイ部１０３に携帯端末機でショートカット機能を用いて迅速にアクセス可能なすべてのアプリケーションとメニューをディスプレイする。その後、制御部１０１は、ディスプレイされるアプリケーションとメニューの中からユーザーによって選択された少なくとも一つのアプリケーション又はメニューの選択を確認した後、ステップ２０５に進行する。
【００３８】
ステップ２０５で、制御部１０１は、選択された少なくとも一つのアプリケーション又はメニューをホールド画面ショートカット機能により迅速にアクセス可能なアプリケーション又はメニューに決定し、決定したアプリケーション又はメニューを含むホールド画面ショートカットリストを生成する。
【００３９】
図３は、本発明の一実施形態による携帯端末機におけるホールド画面ショートカット機能を実行する動作を示すフローチャートである。
図３を参照すると、制御部１０１は、ステップ３０１で、ホールド機能を遂行する。ホールド画面をディスプレイした後、制御部１０１は、ステップ３０３に進行する。ホールド機能の遂行を要求するユーザーの入力を受信し、あるいは所定時間の間、外部入力が受信されないと、制御部１０１は、ホールド機能を遂行する。例えば、ホールド画面は、図４の画面４０１の左側下端に示すように、ホールド解除アイコンを有し、図５の画面５０１の右側下端に示すように、サウンドオン／オフアイコンを有する。
【００４０】
ステップ３０３で、制御部１０１は、ディスプレイ部１０３を通じてドラッグパターンを受信して認識する。制御部１０１は、ステップ３０５で、認識されたドラッグパターンをメモリ部１０５に格納された第１のドラッグパターンと比較する。例えば、図４に示すように、ホールド解除アイコンがホールド画面の左側下端に位置する場合、予め設定された第１のドラッグパターンは、ホールド画面のホールド解除アイコンをタッチして右方にホールド画面の中央までドラッグした後に、ホールド画面の上方にドラッグを延長するパターンである。
【００４１】
認識されたドラッグパターンが予め設定された第１のドラッグパターンと同一である場合、制御部１０１は、ステップ３０７に進行し、そうでない場合にはステップ３０９に進行する。ステップ３０７で、制御部１０１は、ホールド画面ショートカットリストをディスプレイ部１０３にディスプレイした後に、ステップ３１１に進行する。ホールド画面ショートカット機能により迅速にアクセス可能なメニュー又はアプリケーションは、ホールド画面ショートカットリストに含まれる。例えば、ホールド画面ショートカットリストは、図４の画面４０３に示すように、通話メニュー、ゲームアプリケーション、インターネットメニュー、及びＥメールメニューを含む。
【００４２】
ステップ３１１で、制御部１０１は、表示されたホールド画面ショートカットリストからユーザーによって選択されるメニュー又はアプリケーションを決定する。ユーザーがメニュー又はアプリケーションを選択する場合、制御部１０１は、ステップ３１３に進行する。メニュー又はアプリケーションが所定の時間で選択されない場合、制御部１０１は、ステップ３０１を反復する。ユーザーがディスプレイされたメニュー又はアプリケーションのうちいずれか一つをタッチするか、あるいは第１のドラッグパターンでドラッグを延長する場合、制御部１０１は、タッチ又はドラッグされたメニュー又はアプリケーションをユーザーにより選択されたことに決定する。
【００４３】
ステップ３１３で、制御部１０１は、選択されたメニュー又はアプリケーションを決定し、この決定されたメニュー又はアプリケーションを実行する。例えば、図４の画面４０５のホールド画面ショートカットリストの中でユーザーがＥメールメニューを選択すると、制御部１０１は、Ｅメール機能を遂行するＥメールアプリケーションを実行する。
【００４４】
一方、制御部１０１は、ステップ３０９で、認識されたドラッグパターンを第２のドラッグパターンと比較する。図５に示すように、サウンドオン／オフアイコンがホールド画面の右側下端に位置する場合、予め設定された第２のドラッグパターンは、ホールド画面のサウンドオン／オフアイコンから左方にホールド画面の中央までドラッグし、その後にホールド画面の上方にドラッグを延長するパターンである。認識されたドラッグパターンが第２のドラッグパターンと同一である場合、制御部１０１は、ステップ３１５に進行する。そうでないと、制御部１０１は、ステップ３０１に戻る。
【００４５】
ステップ３１５で、制御部１０１は、ディスプレイ部１０３にボリューム調節メニューをディスプレイする。このボリューム調節メニューは、音声ボリュームを段階的に調節するためのボリュームレベルを含む。例えば、ボリューム調節メニューは、７つのボリュームレベルを含む。ステップ３１７で、制御部１０１は、ユーザーがディスプレイ部１０３でボリュームレベルを選択したか否かを判定する。
【００４６】
ユーザーがディスプレイされたボリュームレベルのうちいずれか一つをタッチし、あるいはディスプレイされたボリュームレベルのうちいずれか一つに第２のドラッグパターンでドラッグを延長する場合、制御部１０１は、タッチ又はドラッグされたボリュームレベルがユーザーにより選択されたと決定する。ユーザーがボリュームレベルを選択すると、制御部１０１は、ステップ３１９に進行する。反対に、ボリュームレベルが所定時間内に選択されない場合、制御部１０１は、ステップ３０１に戻る。
【００４７】
ステップ３１９で、制御部１０１は、選択されたボリュームレベルを決定し、音声ボリュームを決定されたボリュームレベルに調整する。例えば、ユーザーがボリューム調節メニューに含まれた７つのボリュームレベルのうち４番目のボリュームレベルを選択する場合、制御部１０１は、音声ボリュームを４番目のボリュームレベルに調整できる。
【００４８】
図４は、本発明の一実施形態によってホールド画面ショートカット機能を遂行する場合がディスプレイされた画面を示す。
図４を参照すると、参照番号４０１は、ホールド機能が遂行された後にディスプレイ部１０３にディスプレイされるホールド画面を示す。例えば、ホールド画面は、左側下端にホールド解除アイコンを、右側下端にサウンドオン／オフアイコンを、各々含むことができる。
【００４９】
参照番号４０３は、予め設定された第１のドラッグパターンが入力された後にホールド画面ショートカットリストがディスプレイされるホールド画面を示す。このホールド画面ショートカットリストは、ホールド画面ショートカット機能により迅速にアクセスできるメニュー又はアプリケーションを含む。例えば、ホールド画面ショートカットリストは、画面４０３に通話メニュー、ゲームアプリケーション、インターネットメニュー、及びＥメールメニューを含むことができる。
【００５０】
参照番号４０５は、ユーザーがホールド画面ショートカットリストのＥメールメニューを選択する画面を示す。Ｅメールメニューは、このＥメールメニューに第１のドラッグパターンでドラッグを延長することにより選択される。
【００５１】
図５は、本発明の他の実施形態によりホールド画面ショートカット機能を実行する場合にディスプレイされる画面を示す。
図５を参照すると、参照番号５０１は、ホールド機能が遂行された後にディスプレイ部１０３にディスプレイされるホールド画面を示す。例えば、ホールド画面は、左側下端にホールド解除アイコンを、右側下端にサウンドオン／オフアイコンを、各々含む。
【００５２】
参照番号５０３は、予め設定された第２のドラッグパターンが入力された後にボリューム調節メニューが表示された画面を示す。このボリューム調節メニューは、音声ボリュームを調節するためのボリュームレベルを含む。例えば、ボリューム調節メニューは、画面５０３に７つのボリュームレベルを含む。
【００５３】
参照番号５０５は、ユーザーがボリュームメニューの４番目のレベルを選択する画面を示す。この４番目のレベルは、第２のドラッグパターンで延長されるドラッグによって選択される。
【００５４】
上記したように、携帯端末機は、ホールド機能モードであってもユーザーの所望するメニュー又はアプリケーションをすぐに実行できる。即ち、携帯端末機がホールド機能を実行している最中でもショートカット機能を遂行することによって、ユーザーの所望するメニュー又はアプリケーションを従来技術によるような遅延なしにすぐに実行できる。
【００５５】
上記した本発明による実施形態は、コンピュータ読み取り可能な記録媒体に対するコンピュータ読み取り可能なコードとして具現化できる。このコンピュータ読み取り可能な記録媒体は、コンピュータシステムによって読み取り可能なデータを格納するデータストレージデバイスとなり得る。コンピュータ読み取り可能な記録媒体の例としては、ＲＯＭ（Ｒｅａｄ−Ｏｎｌｙ  Ｍｅｍｏｒｙ）、ＲＡＭ（Ｒａｎｄｏｍ−Ａｃｃｅｓｓ  Ｍｅｍｏｒｙ）、ＣＤ−ＲＯＭ、磁気テープ、フロッピー（登録商標）ディスク、光データ格納装置、及び搬送波（有無線伝送経路を介してインターネットを経由するデータ伝送のような）を含むが、これに限定されない。また、このコンピュータ読み取り可能な記録媒体は、ネットワーク接続されたコンピュータシステムにわたって分散されることによって、コンピュータ読み取り可能なコードは分散形態で格納及び遂行される。また、本発明を達成するための機能プログラム、コード、及びコードセグメントは、当該技術分野における熟練されたプログラマにとっては容易に理解できるであろう。
【００５６】
以上、本発明の詳細な説明においては具体的な実施形態に関して説明したが、特許請求の範囲の記載及びこれと均等なものに基づいて定められる本発明の範囲及び趣旨を逸脱することなく、形式や細部の様々な変更が可能であることは、当該技術分野における通常の知識を持つ者には明らかである。
【００５７】
例えば、本発明の一実施形態では、第１のドラッグパターンの入力によりホールド画面ショートカット機能が実行されるが、第１のドラッグパターンは、他のパターンに代替され得る。特に、携帯端末機は、第３のドラッグパターンを受信すると、ホールド画面ショートカット機能を実行できる。ここで第３のドラッグパターンは例えば、ホールド解除アイコンをタッチして上方にドラッグした後に右方にホールド画面の中央までドラッグを延長するパターンである。
【００５８】
また、本発明の実施形態では、第２のドラッグパターンによりボリューム調節機能が実行されることについて説明したが、第２のドラッグパターンは、他のパターンに代替できる。特に、携帯端末機は、第４のドラッグパターンを受信すると、ボリューム調節機能を実行できる。ここで第４のドラッグパターンは例えば、サウンドオン／オフアイコンをタッチして上方にドラッグした後に左方にホールド画面の中央までドラッグを延長するパターンである。
【符号の説明】
【００５９】
１０１    制御部
１０３    表示部（ディスプレイ部）
１０５    メモリ部
１０７    オーディオ処理部
１０９    無線送受信部
１１１    データ処理部
１１３    キー入力部
４０１、４０３、４０５    ホールド画面
５０１、５０３、５０５    ホールド画面
【図１】
2013020625.tif 000003
【図２】
2013020625.tif 000004
【図３】
2013020625.tif 000005
【図４】
2013020625.tif 000006
【図５】
2013020625.tif 000007